【手続補正書】
【提出日】平成19年10月18日(2007.10.18)
【手続補正１】
【補正対象書類名】特許請求の範囲
【補正対象項目名】請求項１１
【補正方法】変更
【補正の内容】
【請求項１１】
データファイルの対応するメタデータ要素と少なくとも関連した少なくとも１つのメタデータ要素を有するメタデータを用いて、複数のデータファイルを構成するための方法であって、
前記各メタデータがデータファイルに対応している、少なくとも１つのメタデータのセットを処理し、
前記メタデータを分析するために要求されたパラメータ値を得、
前記得られたパラメータ値を用いてメタデータ要素のセット内の構造を判断することであって、前記複数のデータファイルの少なくともサブセットについて、前記パラメータ値を互いに用いて前記メタデータの少なくともサブセットを比較することによって前記構造を判断するための方法。
【手続補正２】
【補正対象書類名】特許請求の範囲
【補正対象項目名】請求項１４
【補正方法】変更
【補正の内容】
【請求項１４】
データファイルの１つのクラスタ内の前記メタデータ要素の少なくともいくつかを、データファイルの要素クラスタ内の前記メタデータ要素の少なくともいくつかと比較することによって、類似性値を判断し、
データファイルの１つのクラスタ内の前記メタデータ要素の少なくともいくつかを、データファイルの他のクラスタ内の前記メタデータ要素の少なくともいくつかと比較することによって、非類似性値を判断することと、をさらに含む、
請求項１３に記載の方法。
【手続補正３】
【補正対象書類名】特許請求の範囲
【補正対象項目名】請求項１６
【補正方法】変更
【補正の内容】
【請求項１６】
コンピュータ上で実行可能であると共に、少なくとも各データファイルと関連した少なくとも１つのメタデータ要素を有するメタデータを用いることによって複数のデータファイルを構成するために用いられ得る、プログラムであって、
前記コンピュータを、
前記データファイルの少なくともいくつかについて、そのデータファイルと関連した少なくとも１つのメタデータ要素を抽出するメタデータ抽出手段、
前記メタデータ抽出手段により抽出されたメタデータ要素についての値に基づいて、前記抽出されたメタデータ要素を要求された順序に構成するメタデータ構成手段、
パラメータ値を入力するための入力手段と、
前記メタデータ抽出手段により抽出されたメタデータ要素及び前記入力パラメータ値に基づいて、前記データファイルの少なくともいくつかを群に分割するデータ分割手段、
として機能させるためのプログラム。
【手続補正４】
【補正対象書類名】特許請求の範囲
【補正対象項目名】請求項１７
【補正方法】変更
【補正の内容】
【請求項１７】
前記データ分割手段が、前記少なくとも１つのパラメータ値の少なくとも１つの各々について、前記抽出されたメタデータ要素の少なくともいくつか及びそのパラメータ値を用いて、前記複数のデータファイルの少なくとも２つについての類似性値を判断する類似性値判断手段をさらに含む、請求項１６に記載のプログラム。
【手続補正５】
【補正対象書類名】特許請求の範囲
【補正対象項目名】請求項１８
【補正方法】変更
【補正の内容】
【請求項１８】
前記類似性値判断手段は、少なくともいくつかのデータファイルの各々について、そのデータファイルについての及び多数の近くのデータファイルについての少なくとも１つの類似性値に基づいて、そのデータファイルについての少なくとも１つの新規性値を判断する新規性値判断手段をさらに含む、請求項１７に記載のプログラム。
【手続補正６】
【補正対象書類名】特許請求の範囲
【補正対象項目名】請求項１９
【補正方法】変更
【補正の内容】
【請求項１９】
前記類似性値判断手段が、次の数式で前記少なくとも１つの類似性値を判断することを含み、
2005149493.tif 000001
ＳK（ｉ，ｊ）がｉthデータファイル及びｊthデータファイルについての類似性値であり、
Ｋがパラメータ値であり、
ｔi及びｔjが、前記ｉth及びｊthデータファイルについての前記少なくとも１つの抽出されたメタデータ要素の少なくとも一つのメタデータ要素の実際の値である、
請求項１７に記載のプログラム。
【手続補正７】
【補正対象書類名】特許請求の範囲
【補正対象項目名】請求項２０
【補正方法】変更
【補正の内容】
【請求項２０】
前記類似性値判断手段が、次の数式で前記少なくとも１つの類似性値を判断することを含み、
2005149493.tif 000002
ＳK（ｉ，ｊ）がｉthデータファイル及びｊthデータファイルについての類似性値であり、
Ｋがパラメータ値であり、
ｖi及びｖjが、前記ｉth及びｊthデータファイルから判断された実際のベクトル値である、
請求項１７に記載のプログラム。
【手続補正８】
【補正対象書類名】特許請求の範囲
【補正対象項目名】請求項２１
【補正方法】変更
【補正の内容】
【請求項２１】
前記新規性値判断手段により判断された前記少なくとも１つの新規性値に基づいて、前記複数のデータファイルの境界位置間の少なくとも１つの境界位置を判断する境界位置判断手段をさらに含む、請求項１８に記載のプログラム。
【手続補正９】
【補正対象書類名】特許請求の範囲
【補正対象項目名】請求項２２
【補正方法】変更
【補正の内容】
【請求項２２】
前記新規性値判断手段が、次の数式で少なくとも１つの新規性値を判断することを含み、
2005149493.tif 000003
ｖK（ｓ）が新規性値であり、
ｇがガウシアンテーパの１１ｘ１１チェッカーボードカーネルである、
請求項１８に記載のプログラム。
【手続補正１０】
【補正対象書類名】特許請求の範囲
【補正対象項目名】請求項２３
【補正方法】変更
【補正の内容】
【請求項２３】
前記新規性値判断手段により判断された境界位置の少なくともいくつかについて、その境界位置についての信頼値を判断する信頼値判断手段をさらに含む、請求項２１に記載のプログラム。
【手続補正１１】
【補正対象書類名】特許請求の範囲
【補正対象項目名】請求項２４
【補正方法】変更
【補正の内容】
【請求項２４】
前記信頼値判断手段が、次の数式でこのような信頼値の各々を判断することを含み、
2005149493.tif 000004
Ｃ（ＢK）がＢKth境界についての信頼値であり、
ＳK（ｉ，ｊ）が前記ｉthデータファイル及び前記ｊthデータファイルについての類似性値であり、
ｂがあるレベルの検出された境界である、
請求項２３に記載のプログラム。
【手続補正１２】
【補正対象書類名】特許請求の範囲
【補正対象項目名】請求項２５
【補正方法】変更
【補正の内容】
【請求項２５】
前記新規性値判断手段により判断された境界位置の少なくともいくつかについて、前記信頼値を最大にする少なくとも１つのパラメータ値の少なくとも１つを判断することをさらに含む、請求項２３に記載のプログラム。
【手続補正１３】
【補正対象書類名】特許請求の範囲
【補正対象項目名】請求項２６
【補正方法】変更
【補正の内容】
【請求項２６】
データファイルの対応するメタデータ要素と少なくとも関連した、少なくとも１つのメタデータ要素を有するメタデータを用いて、複数のデータファイルを構成するために用いられ得る、データファイル構成システムであって、
前記データファイルの少なくともいくつかについて、前記データファイルと関連した少なくとも１つのメタデータ要素を抽出する、メタデータ抽出手段と、
前記メタデータ抽出手段により抽出されたメタデータについての値に基づいて、前記抽出されたメタデータ要素を要求された順序に構成するための、メタデータ構成手段と、
前記少なくとも１つのパラメータ値の少なくとも１つについて、前記抽出されたメタデータ要素の少なくともいくつか及びそのパラメータ値を用いて、前記複数のデータファイルの少なくとも２つについての類似性値を判断する、類似性値判断手段と、
前記データファイルについての及び多数の近くのデータファイルについての少なくとも１つの類似性値に基づいて、そのデータファイルについての少なくとも１つの新規性値を判断する、新規性値判断手段と、
前記データファイルの少なくともいくつかについて判断された前記少なくとも１つの新規性値に基づいて前記複数のデータファイルの境界位置間の少なくとも１つの境界位置を判断することによって、前記抽出されたメタデータ要素及び前記入力パラメータ値に基づいて、前記データファイルの少なくともいくつかを群に分割する、データ分割手段と、
前記判断された境界位置の少なくともいくつかについて、その境界位置についての信頼値を判断し、前記判断された境界位置の少なくともいくつかについて、前記データ分割手段が、前記信頼値を最大にする前記少なくとも１つのパラメータ値をさらに判断する、信頼値判断手段と、
を備える、データファイル構成システム。